(57)【要約】      （修正有）【課題】ゴルフボールに対するアドレス時の視線を一定にすると共に、ボール打出し方向に対してパターヘッドを直角にセットし、パターフェースの芯でインパクトを迎えることのできる簡便なパッティング練習具を提供する。【解決手段】表面が鏡面に形成された平板部材２にボール打出し用の切欠部３が形成されている。この切欠部３にゴルフボールＡを置いてアドレスし、ゴルフボールＡをほぼ真上から見降ろして、鏡面に映った自分の顔とゴルフボールＡとの位置関係が常に一定になるようにする。また、切欠部３の後端部近傍にボール打出し方向とは直角方向に伸びる凸形部材４が設けられている。この凸形部材４にパターヘッドＢが平行になるようにする。パターフェースＣが凸形部材４の側面（ゴルフボールを打出す始端側）に触れないようにストロークする。【選択図】図１
2006341035.tif 000002
【特許請求の範囲】
【請求項１】
ゴルフボールの打出し方向を指す切欠部が形成され、表面が鏡面に形成された平板部材からなることを特徴とするパッティング練習具。
【請求項２】
前記切欠部の後端部近傍に、その打出し方向とは直角方向に伸びる凸形部材が設けられたことを特徴とする請求項１に記載のパッティング練習具。
【請求項３】
前記凸形部材は、当該凸形部材の上面から前記切欠部に置いたゴルフボールの芯までの高さが、パターヘッドの底面からパターフェースの芯までの高さとほぼ等しくなる高さに形成されたことを特徴とする請求項１又は請求項２に記載のパッティング練習具。
【発明の詳細な説明】
【技術分野】
【０００１】  本発明は、ゴルフの簡便なパッティング練習具に関するものである。
【背景技術】
【０００２】  従来のパッティング練習具には、例えば下記特許文献１のようにパッティングストロークを機械的に矯正するものや、特許文献２のようにパッティングストロークを視認しながら矯正するものなどがある。
【特許文献１】特開平６−２０５８６３号公報
【特許文献２】特開２００３−１９９８５８号公報
【発明の開示】
【発明が解決しようとする課題】
【０００３】  ゴルフ競技において、パッティングの重要性は周知のことであるが、パッティングには次のような基本がある。
（１）ゴルフボールに対するアドレス時の視線を一定にすること。
（２）ボール打出し方向に対してパターヘッドを直角にセットすること。
（３）パターフェースの芯でインパクトを迎えること。【０００４】  しかし、前記従来のパッティング練習具は直線的なストロークを重視するものがほとんどであり、前述したパッティングの基本に適うものはなかった。【０００５】  本発明は、かかる事実を考慮して、ゴルフボールに対するアドレス時の視線を一定にすると共に、ボール打出し方向に対してパターヘッドを直角にセットし、パターフェースの芯でインパクトを迎えることのできる簡便なパッティング練習具を提供することを目的とするものである。
【課題を解決するための手段】
【０００６】  前述した目的を達成するため、本発明の請求項１に記載のパッティング練習具は、ゴルフボールの打出し方向を指す切欠部が形成され、表面が鏡面に形成された平板部材からなることを特徴とするものである。【０００７】  請求項１に記載のパッティング練習具では、切欠部の切欠方向がゴルフボールの打出し方向を指しており、その後端部にゴルフボールを置いてアドレスする。そして、このゴルフボールをほぼ真上から見降ろす。このとき、自分の顔が鏡面の平板部材に映るので、映った自分の顔（特に目）とゴルフボールとの位置関係を視認し、この位置関係が常に一定になるようにする。そうすることによって、ゴルフボールに対するアドレス時の視線が一定になり、アドレスが安定し、良好なパッティングができるようになる。すなわち、平板部材の鏡面がプレーヤーの視線のゲージ役になる。【０００８】  また、本発明の請求項２に記載のパッティング練習具は、請求項１に記載のパッティング練習具において、前記切欠部の後端部近傍（ゴルフボールを打出す始端側）に、その打出し方向とは直角方向に伸びる凸形部材が設けられたことを特徴とするものである。【０００９】  請求項２に記載のパッティング練習具では、前記アドレス時に凸形部材に対するパターヘッドの向き状態を視認し、パターヘッドが凸形部材と平行になるようにする。そうすることによって、ボール打出し方向に対してパターヘッドを直角にセットすることになり、良好なパッティングができるようになる。すなわち、凸形部材の方向がパターヘッドの向きのゲージ役になる。【００１０】  さらに、本発明の請求項３に記載のパッティング練習具は、請求項１又は請求項２に記載のパッティング練習具において、前記凸形部材の上面から前記切欠部に置いたゴルフボールの芯までの高さと、パターヘッドの底面からパターフェースの芯までの高さとが、ほぼ等しくなるように凸形部材の高さが形成されたことを特徴とするものである。【００１１】  請求項３に記載のパッティング練習具では、パターフェースＣが凸形部材４の側面（ゴルフボールを打出す始端側）に触れないようにストロークする。そうすることによって、パターフェースの芯でインパクトを迎えることになり、良好なパッティングができるようになる。すなわち、凸形部材の高さがパターヘッドの高程のゲージ役になる。
【発明の効果】
【００１２】  以上説明したように、本発明のパッティング練習具によれば、ゴルフボールに対するアドレス時の視線を一定にすると共に、ボール打出し方向に対してパターヘッドを直角にセットし、パターフェースの芯でインパクトを迎えることができるようになる。【００１３】  また、プレーヤーは本発明のパッティング練習具によって自己のアドレスやストロークの良し悪しを即座に確認することができ、この練習を重ねることによってパッティング技術をより一層向上させることができるようになる。【００１４】  さらに、本発明のパッティング練習具は、極めて簡単な構成であるため、安価で小形軽量に作ることができる。そして、バッグや服のポケット等に入れて気軽に持運びすることができ、室内のじゅうたんやゴルフコースの練習グリーンなど任意の場所で練習することができる。
【発明を実施するための最良の形態】
【００１５】  本発明の実施の形態を図１〜図３に基づいて説明する。【００１６】  パッティング練習具１は、表面が鏡面仕上げされたプラスチック製の平板部材２を基材としており、その１辺から中央部にかけてゴルフボール打出し用の切欠部３が形成されている。この切欠部３は、その切欠方向がゴルフボールＡの打出し方向を指している。【００１７】  切欠部３の後端部近傍（ゴルフボールを打出す始端側）には、その打出し方向とは直角方向に伸びる凸形部材４が設けられている。この凸形部材４は、プラスチック製またはゴム製の角棒部材であり、平板部材２に接着剤で強固に貼り付けられている。【００１８】  凸形部材４の高さＨは、凸形部材４の上面から平板部材２の切欠部３に置いたときのゴルフボールＡの芯Ｘまでの高さＨ１と、パターヘッドＢの底面からパターフェースＣの芯Ｙまでの高さＨ２とが、ほぼ等しくなるように形成されている。具体的には、芯Ｙの高さＨ２が芯Ｘの高さＨ１より僅か（２〜３ｍｍ）低く形成されている。【００１９】  なお、図１における符号５はゴルフコースの練習グリーン等で使用する場合に、固定ピン６を通すピン穴である。【００２０】  次に、本実施の形態の使い方を説明する。【００２１】  まず、切欠部３を適宜の方向に向けた状態で、平板部材２を室内の床上又はゴルフコースの練習グリーン上に置く。平板部材２を練習グリーン上に置く場合は、固定ピン６を平板部材２のピン穴５に通して練習グリーン上に差し込み、平板部材２をしっかりと固定するとよい。【００２２】  次に、ゴルフボールＡを平板部材２の切欠部３の後端部に置いてアドレスする。そして、このゴルフボールＡをほぼ真上から見降ろす。このとき、自分の顔が鏡面の平板部材２に映るので、映った自分の顔（特に目）とゴルフボールとの位置関係を視認し、この位置関係が常に一定になるようにする。【００２３】  このアドレス時に、凸形部材４に対するパターヘッドＢの向き状態を視認し、パターヘッドＢが凸形部材４と平行になるようにする（図１参照）。【００２４】  次いで、パターフェースＣが凸形部材４の側面（ゴルフボールを打出す始端側）に触れないようにストロークする。（図３参照）。【００２５】  このようにすることによって、ゴルフボールＡに対するアドレス時の視線を一定にすると共に、ボール打出し方向に対してパターヘッドＢを直角にセットし、パターフェースの芯でインパクトを迎えることができるようになる。
【図面の簡単な説明】
【００２６】
【図１】  本発明のパッティング練習具の構造を示す平面図である。
【図２】  本発明のパッティング練習具の構造を示す側面図である。
【図３】  本発明のパッティング練習具の使用状態を示す側面図である。
【図面の符号】
【００２７】    １  パッティング練習具
２  平板部材
３  切欠部
４  凸形部材
５  ピン穴
６  固定ピン
Ａ  ゴルフボール
Ｂ  パターヘッド
Ｃ  パターフェース
Ｘ  ゴルフボールの芯
Ｙ  パターフェースの芯
【図１】
2006341035.tif 000003
【図２】
2006341035.tif 000004
【図３】
2006341035.tif 000005